(57)【要約】【課題】  ヌメリを効果的に防除できると共に、排水口周辺から発生する悪臭を効果的に抑制することができるヌメリ防除機能付排水口蓋を提供すること。【解決手段】  蓋本体１２と、蓋本体１２の裏側に設けられた、排水流入口及び薬液流出口を有し、かつ内部にヌメリ防除固形薬剤を収容したリング状カセット１４とを備えたヌメリ防除機能付排水口蓋であって、蓋本体１２又はリング状カセット１４が、芳香剤及び／又は消臭剤を具備しているヌメリ防除機能付排水口蓋である。【選択図】  図６
2007046393.tif 000002
【特許請求の範囲】
【請求項１】
蓋本体と、該蓋本体の裏側に設けられた、排水流入口及び薬液流出口を有し、かつ内部にヌメリ防除固形薬剤を収容したリング状カセットとを備えたヌメリ防除機能付排水口蓋であって、
前記蓋本体又はリング状カセットが、芳香剤及び／又は消臭剤を具備していることを特徴とするヌメリ防除機能付排水口蓋。
【請求項２】
リング状カセット内に芳香剤及び／又は消臭剤を具備していることを特徴とする請求項１に記載のヌメリ防除機能付排水口蓋。
【請求項３】
リング状カセットに、ヌメリ防除固形薬剤が収容された薬剤収容部と、芳香剤及び／又は消臭剤が収容された芳香剤／消臭剤収容部とが交互に配置され、該芳香剤／消臭剤収容部は、薬剤収容部に比してリング幅が短く、かつ底部には鍔部が設けられていることを特徴とする請求項２に記載のヌメリ防除機能付排水口蓋。
【請求項４】
リング状カセット又は蓋本体の表面に、芳香剤及び／又は消臭剤が塗布されていることを特徴とする請求項１〜３のいずれかに記載のヌメリ防除機能付排水口蓋。
【請求項５】
蓋本体又はリング状カセットが、芳香剤及び／又は消臭剤が収容された芳香剤／消臭剤容器を備えたことを特徴とする請求項１〜４のいずれかに記載のヌメリ防除機能付排水口蓋。
【請求項６】
芳香剤／消臭剤容器が取り外し可能となっていることを特徴とする請求項５に記載のヌメリ防除機能付排水口蓋。
【請求項７】
芳香剤／消臭剤容器が、リング状カセットの内周面に取り付けられていることを特徴とする請求項５又は６に記載のヌメリ防除機能付排水口蓋。
【請求項８】
蓋本体の中央部に芳香剤／消臭剤設置用開口が設けられ、芳香剤／消臭剤容器が、そのフランジ部を該芳香剤／消臭剤設置用開口の周部に載置して設置されていることを特徴とする請求項５〜７のいずれかに記載のヌメリ防除機能付排水口蓋。
【請求項９】
蓋本体が、その周部を連結する連結部の中央にブラインド部を備え、該ブラインド部に芳香剤／消臭剤設置用開口が設けられていることを特徴とする請求項８に記載のヌメリ防除機能付排水口蓋。
【請求項１０】
芳香剤／消臭剤容器が上下に分割され、上部収容部に芳香剤が収容されると共に下部収容部に消臭剤が収容されていることを特徴とする請求項５〜９のいずれかに記載のヌメリ防除機能付排水口蓋。
【発明の詳細な説明】
【技術分野】
【０００１】
本発明は、ヌメリ防除機能付排水口蓋に関し、より詳しくは、芳香剤及び／又は消臭剤を具備したヌメリ防除機能付排水口蓋に関する。
【背景技術】
【０００２】
従来より、排水口におけるヌメリを防止する目的で、ヌメリ防除剤を具備した排水口蓋が提案されている。例えば、本発明者らは、微生物の発育抑制物質を含有する固形薬剤と、排水口の入口部又は上部に設置可能な形状をした、該固形薬剤を収容する容器とからなり、該容器が、容器の上面及び／又は側面上部に設けられたゴミの流入を抑制する構造を有する排水流入孔と、容器の底部もしくは側面下部又はこれに加えて側面に設けられた溶解液流出孔と、排水の多くが固形薬剤と接触することなく排水口へ流下する構造とを有することを特徴とする固形薬剤の溶解液をヌメリ発生面に広がらせることができる排水口用ヌメリ取り器（特許文献１参照。）や、微生物の発育抑制物質を含有する固形物と、排水口の入口部又は上部に設置可能な形状をした、該固形物を収容するリング状容器とからなり、該リング状容器が、排水の流入量を制御しうる開口度を有するリング状容器の上面もしくは側面上部に設けられた排水流入孔と、固形物の溶解液の流出量を制御しうる開口度を有するリング状容器の底部もしくは側面下部又はこれに加えて側面に設けられた溶解液流出孔とを有し、該溶解液流出孔が、リング状容器内に保持できる最大量の水が０．５〜５００秒で流出する制御された開口度を有することを特徴とする固形物の溶解液をヌメリ発生壁面部に広がらせることができる排水口用ヌメリ取り器（特許文献２参照。）を提案し、このタイプのヌメリ防除機能付流し台用排水口蓋は、実用化されている。
【０００３】
【特許文献１】特開２００１−３１７１０１号公報
【特許文献２】特許第３５７８６５５号公報
【発明の開示】
【発明が解決しようとする課題】
【０００４】
現在実用化されているヌメリ上記防除機能付排水口蓋は、十分なヌメリ防除効果があり、また、ヌメリに起因する悪臭は抑制することができるものの、その他の原因による悪臭、たとえば、台所排水口に設置されたカゴに一時的に収容される生ごみから発生する悪臭を防止することはできない。
【０００５】
本発明の課題は、ヌメリを効果的に防除できると共に、排水口周辺から発生する悪臭を効果的に抑制することができるヌメリ防除機能付排水口蓋を提供することにある。
【課題を解決するための手段】
【０００６】
本発明者は、上記問題を解決するために鋭意研究した結果、芳香剤及び／又は消臭剤の容器を室内に別途設置するのではなく、ヌメリ防除機能付排水口蓋自体に具備させることにより、排水口周辺の悪臭を効果的に抑制することができることを見い出し、本発明を完成するに至った。
【０００７】
すなわち本発明は、（１）蓋本体と、該蓋本体の裏側に設けられた、排水流入口及び薬液流出口を有し、かつ内部にヌメリ防除固形薬剤を収容したリング状カセットとを備えたヌメリ防除機能付排水口蓋であって、前記蓋本体又はリング状カセットが、芳香剤及び／又は消臭剤を具備していることを特徴とするヌメリ防除機能付排水口蓋や、（２）リング状カセット内に芳香剤及び／又は消臭剤を具備していることを特徴とする上記（１）に記載のヌメリ防除機能付排水口蓋や、（３）リング状カセットに、ヌメリ防除固形薬剤が収容された薬剤収容部と、芳香剤及び／又は消臭剤が収容された芳香剤／消臭剤収容部とが交互に配置され、該芳香剤／消臭剤収容部は、薬剤収容部に比してリング幅が短く、かつ底部には鍔部が設けられていることを特徴とする上記（２）に記載のヌメリ防除機能付排水口蓋に関する。
【０００８】
また本発明は、（４）リング状カセット又は蓋本体の表面に、芳香剤及び／又は消臭剤が塗布されていることを特徴とする上記（１）〜（３）のいずれかに記載のヌメリ防除機能付排水口蓋や、（５）蓋本体又はリング状カセットが、芳香剤及び／又は消臭剤が収容された芳香剤／消臭剤容器を備えたことを特徴とする上記（１）〜（４）のいずれかに記載のヌメリ防除機能付排水口蓋や、（６）芳香剤／消臭剤容器が取り外し可能となっていることを特徴とする上記（５）に記載のヌメリ防除機能付排水口蓋に関する。
【０００９】
さらに本発明は、（７）芳香剤／消臭剤容器が、リング状カセットの内周面に取り付けられていることを特徴とする上記（５）又は（６）に記載のヌメリ防除機能付排水口蓋や、（８）蓋本体の中央部に芳香剤／消臭剤設置用開口が設けられ、芳香剤／消臭剤容器が、そのフランジ部を該芳香剤／消臭剤設置用開口の周部に載置して設置されていることを特徴とする上記（５）〜（７）のいずれかに記載のヌメリ防除機能付排水口蓋や、（９）蓋本体が、その周部を連結する連結部の中央にブラインド部を備え、該ブラインド部に芳香剤／消臭剤設置用開口が設けられていることを特徴とする上記（８）に記載のヌメリ防除機能付排水口蓋や、（１０）芳香剤／消臭剤容器が上下に分割され、上部収容部に芳香剤が収容されると共に下部収容部に消臭剤が収容されていることを特徴とする上記（５）〜（９）のいずれかに記載のヌメリ防除機能付排水口蓋に関する。
【発明の効果】
【００１０】
本発明のヌメリ防除機能付排水口蓋によれば、ヌメリを効果的に防除できると共に、排水口周辺から発生する悪臭を効果的に抑制することができる。
【発明を実施するための最良の形態】
【００１１】
本発明のヌメリ防除機能付排水口蓋としては、蓋本体と、該蓋本体の裏側に設けられた、排水流入口及び薬液流出口を有し、かつ内部にヌメリ防除固形薬剤を収容したリング状カセットとを備えた排水口蓋であって、前記蓋本体又はリング状カセットが、芳香剤及び／又は消臭剤を具備しているヌメリ防除機能付排水口蓋であれば特に制限されるものではなく、本発明のヌメリ防除機能付排水口蓋は、流し台の排水口や風呂場の排水口の蓋として使用することができる。本発明のヌメリ防除機能付排水口蓋は、蓋本体とリング状カセットが一体であってもよいし、取り外し可能であってもよい。
【００１２】
本発明において用いられる芳香剤としては、芳香を生じるものであれば特に制限されるものではなく、固体状、液状であってもよく、具体的には、香料原末、香料充填カプセル、香料含有物質、香料混合物質等を挙げることができる。また、消臭剤としては、芳香剤同様、固体状、液状であってもよく、活性炭等の物理的吸着物質や、化学的消臭物質等を挙げることができる。この芳香剤及び／又は消臭剤は、水に溶けて芳香／消臭効果を発揮するものであってもよいし、水に接触しても影響のない耐水性のものであってもよいし、水との接触が好ましくないものであってもよい。水に溶けて効果を発揮する芳香剤、消臭剤である場合には、芳香剤、消臭剤に水が適度に接触するような構造とし、水との接触が好ましくない芳香剤、消臭剤を用いる場合には、芳香剤、消臭剤に水が接触しないような構造とする。
【００１３】
本発明のヌメリ防除機能付排水口蓋における蓋本体としては、例えば、ゴム製、プラスチック製の蓋が挙げられ、撥水性がよくヌメリが発生しにくいことから、プラスチック製の蓋が好ましい。本発明においては、かかる蓋本体の表側及び／又は裏側の表面に芳香剤及び／又は消臭剤を塗布することができる。また、蓋本体に芳香剤及び／又は消臭剤が収容された芳香剤／消臭剤容器を設けることができ、この芳香剤／消臭剤容器は蓋本体と一体であってもよいし、取り外し可能であってもよい。
【００１４】
芳香剤／消臭剤容器を蓋本体に設ける場合、蓋本体の表側及び／又は裏側等いずれの箇所に設置することもできるが、芳香剤／消臭剤容器を容易に取り外しができ、かつより効果的に芳香効果を得ることができる点から、蓋本体の中央部に設けられた芳香剤／消臭剤設置用開口の周部に、芳香剤／消臭剤容器のフランジ部を載置して設置する構成であることが好ましい。かかる蓋本体の中央部に芳香剤／消臭剤容器を設置する態様としては、例えば、蓋本体の周部（裏側にカセットを備えた部分）を連結する連結部の中央に設けられた排水口内の目視を遮断するためのブラインド部に芳香剤／消臭剤設置用開口が設けられ、該芳香剤／消臭剤設置用開口に芳香剤／消臭剤容器が設置された態様を挙げることができる。
【００１５】
また、本発明のヌメリ防除機能付排水口蓋におけるリング状カセットは、内部に排水を流入するための排水流入口と、ヌメリ防除固形薬剤が溶出した薬液を流出するための薬液流出口を有しているものであり、例えば、上面に排水流入口を有すると共に外周面に薬液流出口を有しているものであって、内部に収容された固形薬剤の消費量を確認できるように、全部又は一部が透明又は半透明であることが好ましい。
【００１６】
かかるリング状カセットは、例えば、カセット蓋とカセット本体が嵌合状態で一体となって構成される縦断面が矩形の容器であって、ヌメリ防除固形薬剤が収容される薬剤収容部を周方向に複数有している。各薬剤収容部間のヌメリ防除固形薬剤非収容部は、ヌメリ防除固形薬剤収容部に比してリング幅が短くなると共にその底部には鍔部が設けられており、蓋本体からカセットを取り外す（交換する）場合に、鍔部に手を掛止して手前に引くことにより、カセットを容易に取り外すことを可能としている。本発明においては、かかるヌメリ防除固形薬剤非収容部に芳香剤及び／又は消臭剤を収容することができる。したがって、従来通りのヌメリ防除効果を得ることができると共に芳香効果を得ることができ、また、従来のリング状カセットをそのまま使用することができる。
【００１７】
また、本発明においては、カセットの内部及び／又は外部の表面に芳香剤及び／又は消臭剤を塗布することができる。さらに、芳香剤／消臭剤容器をリング状カセットに設けることもでき、その場合、リング状カセットのいずれの箇所に設けることもできる。この芳香剤／消臭剤容器はリング状カセットと一体であってもよいし、取り外し可能であってもよい。例えば、芳香剤／消臭剤容器をリング状カセットの内周面に嵌合等により取り付けた構成を挙げることができる。
【００１８】
芳香剤／消臭剤容器としては、固体状又は液状の芳香剤及び／又は消臭剤を収容することができればその形状や材質等特に制限されるものではなく、内部に収容された芳香剤及び／又は消臭剤の消費量を確認できるように、全部又は一部が透明又は半透明であることが好ましい。芳香剤／消臭剤容器には、芳香成分を放出するための小孔が設けられていることが好ましく、例えば、０．１〜２．０ｍｍ程度の直径の小孔を例示することができる。この小孔は、芳香剤／消臭剤容器の上部、側部、底部のいずれに設けられていてもよい。
【００１９】
また、かかる芳香剤／消臭剤容器は、上下に分割され、上部収容部に芳香剤が収容されると共に下部収容部に消臭剤が収容されていてもよく、この場合、上部収容部は頂面に内部に水が進入できない程度の小孔を有し、下部収容部は底面に小孔を有することが好ましい。これにより、芳香剤の芳香を効果的に得ることができると共に、消臭剤によってヌメリ防除機能付排水口蓋の下方に位置するカゴに収容された生ごみ等から発生する悪臭を抑制することができ、極めて効果的に排水口周辺から発生する悪臭を抑制することができる。
【００２０】
以下、図面を参照しつつ、本発明をより具体的に説明するが、本発明の技術的範囲はこれらの例示に限定されるものではない。図１は、本発明の第１実施形態に係るヌメリ防除機能付排水口蓋の斜視図であり、図２は、図１に示すヌメリ防除機能付排水口蓋のカセットの斜視図であり、図３は、本発明の第１実施形態に係るヌメリ防除機能付排水口蓋のカセットの概略説明図であり、（Ａ）はカセット本体を示し、（Ｂ）はカセット蓋を示す。
【００２１】
図１〜３に示すように、本発明の第１実施形態に係るヌメリ防除機能付流し台用排水口蓋１０は、蓋本体１２とカセット１４とを備えている。
【００２２】
蓋本体１２は、プラスチックからなる直径１４．５ｃｍ程度の円盤状部材であって、周縁端部より少し内側に、周方向の長さが２ｃｍ程度、幅が１ｃｍ程度の開口１５が、周方向に所定間隔をあけて、６箇所設けられている。
【００２３】
図２及び図３に示すように、カセット１４は、外径１３ｃｍ、内径１０．６ｃｍ程度のリング状部材であって、錠剤状の固形薬剤１６，１７が収容された薬剤収容部１８と、固形薬剤１６，１７が収容されていない薬剤非収容部２０とを有しており、それぞれ３箇所ずつ設けられている。各薬剤収納部１８には、７つの錠剤状のヌメリ防除固形薬剤１６と、１つの錠剤状の芳香剤１７が収容されている。このヌメリ防除剤収容カセット１４は、カセット本体２２にカセット蓋２４を嵌合させることにより一体化されている。また、薬剤非収容部２０は、薬剤収容部１８に比してリング幅が短くなると共にその底部には鍔部２５が設けられており（図２参照。）、蓋本体１２からカセット１４を取り外す場合に、鍔部２５に手を掛止して手前に引くことにより、カセット１４を容易に取り外すことを可能としている。
【００２４】
図３（Ｂ）に示すように、カセット１４の上面には、それぞれの薬剤収容部１８の周方向両側に２箇所、合計６箇所の排水流入部２６が設けられている。排水流入部２６は、周方向に延設された長さ２ｃｍ程度の流入部であって、半径方向に幅１ｍｍ程度のスリット状の排水流入口２８が５本程度形成されている。かかるスリット状開口２８は、排水を円滑にカセット１４内に導くことができるように、カセット１４外側部から内側端まで貫通して設けられている。かかる排水流入部２６は、蓋本体１２とカセット１４とを嵌合した場合に、蓋本体１２の開口１５に対応する。
【００２５】
また、図２に示すように、カセット１４の外周面には、カセット１４内部に導入された排水（固形薬剤１６，１７が溶解した薬液）を流出するための外周薬液流出口３０，３１が設けられており、外周薬液流出口３０は、外周面の中央部から上端まで貫く幅２ｍｍ程度のスリット状の開口であり、外周薬液流出口３１は、外周面の中央部から下端まで貫く幅２ｍｍ程度のスリット状の開口である。また、カセット１４の内周面には、内周薬液流出口３２が設けられており、かかる内周薬液流出口３２は、内周面の中央部からカセット上端まで貫く幅２ｍｍ程度のスリット状の開口である。さらに、カセット１４の薬剤収容部１８上面の排水流入部２６に挟まれた区域には、蓋の裏側に薬剤を行き渡らせるための、周方向に形成された一本のスリット状の上面薬液流出口３３が設けられている。
【００２６】
上記のような本発明の第１実施形態に係るヌメリ防除機能付排水口蓋１０によれば、排水流入開口２８からカセット１４内に流入した排水によって、ヌメリ防除固形薬剤１６及び芳香剤１７が効果的に溶け出し、ヌメリを効果的に防除できると共に芳香を生じさせることができ、排水口周辺から発生する悪臭を効果的に抑制することができる。
【００２７】
次に、本発明の第２実施形態に係るヌメリ防除機能付排水口蓋について説明する。図４は、本発明の第２実施形態に係るカセットの概略説明図であり、（Ａ）はカセット本体を示し、（Ｂ）はカセット蓋を示す。第２実施形態に係るヌメリ防除機能付排水口蓋は、第１実施形態に係るヌメリ防除機能付排水口蓋の薬剤非収容部２０に芳香剤１７が収容された形態である。このような構成であると、カセットのスペースを有効に活用することができ、また従来のカセットに芳香剤を導入するだけでよいので、非常に簡単に製造することができる。
【００２８】
続いて、本発明の第３実施形態に係るヌメリ防除機能付排水口蓋について説明する。図５は、本発明の第３実施形態に係るヌメリ防除機能付排水口蓋のカセットの平面図であり、図６は、図５に示すカセットを蓋本体に装着したヌメリ防除機能付排水口蓋の底面図である。第３実施形態に係るヌメリ防除機能付排水口蓋は、カセット１４に、芳香剤が収容された芳香剤容器３４が取り付けられている。
【００２９】
図５及び６に示すように、芳香剤容器３４は、カセット１４の内周面に取り付けられており、具体的には、芳香剤容器３４の係止爪３６をカセット１４の内周面に形成された被係止開口３８に係止することにより固定されている。このように、芳香剤容器３４を取り外し可能とすることにより、カセット１４とは別に芳香剤容器３４のみを交換することが可能となる。なお、第１〜第３実施形態においては、芳香剤に代えて消臭剤を用いることもできる。
【００３０】
また、本発明の第４の実施形態に係るヌメリ防除機能付排水口蓋について説明する。図７は、本発明の第４の実施形態に係るヌメリ防除機能付排水口蓋の平面図であり、図８は、図７に示すヌメリ防除機能付排水口蓋の縦断面図である。第４の実施形態に係るヌメリ防除機能付排水口蓋は、カセット１４に芳香剤（消臭剤）を具備した上記第１〜３実施形態に係るヌメリ防除機能付排水口蓋とは異なり、蓋本体１２に芳香剤（消臭剤）を具備した形態である。
【００３１】
図７及び図８に示すように、第４の実施形態に係るヌメリ防除機能付排水口蓋は、蓋本体１２の周部を連結する連結部の中央に設けられたブラインド部３９に芳香剤／消臭剤設置用開口４０が設けられ、芳香剤及び消臭剤が収容された芳香剤／消臭剤容器３５のフランジ部４２を芳香剤／消臭剤設置用開口４０の周部の載置部に載置しており、容易に芳香剤／消臭剤容器３５の取り外しができるようになっている。また、芳香剤／消臭剤容器３５は、その中央に仕切板４４が設けられて上下に二分割され、上部収容部４６に芳香剤及び／又は消臭剤が収容されると共に下部収容部４８に消臭剤が収容されている。これにより、ヌメリ防除機能付流し台用排水口蓋の上方に芳香が広がり、芳香剤の芳香を効果的に得ることができると共に、消臭剤によって、ヌメリ防除機能付排水口蓋の下方に位置するカゴに収容された生ごみ等から発生する悪臭を抑制することができるので、極めて効果的に排水口周辺から発生する悪臭を抑制することができる。
【図面の簡単な説明】
【００３２】
【図１】本発明の第１実施形態に係るヌメリ防除機能付排水口蓋の斜視図である。
【図２】図１に示すヌメリ防除機能付排水口蓋のカセットの斜視図である。
【図３】本発明の第１実施形態に係るヌメリ防除機能付排水口蓋のカセットの概略説明図であり、（Ａ）はカセット本体を示し、（Ｂ）はカセット蓋を示す。
【図４】本発明の第２実施形態に係るカセットの概略説明図であり、（Ａ）はカセット本体を示し、（Ｂ）はカセット蓋を示す。
【図５】本発明の第３実施形態に係るヌメリ防除機能付排水口蓋のカセットの平面図である。
【図６】図５に示すカセットを蓋本体に装着したヌメリ防除機能付排水口蓋の底面図である。
【図７】本発明の第４の実施形態に係るヌメリ防除機能付排水口蓋の平面図である。
【図８】図７に示すヌメリ防除機能付排水口蓋の縦断面図である。
【符号の説明】
【００３３】
１０    ヌメリ防除機能付流し台用排水口蓋
１２    蓋本体
１４    ヌメリ防除剤収容カセット
１５    開口
１６    固形薬剤（ヌメリ防除固形薬剤）
１７    固形薬剤（芳香剤）
１８    薬剤収容部
２０    薬剤非収容部
２２    カセット本体
２４    カセット蓋
２５    鍔部
２６    排水流入部
２８    排水流入口
３０    外周薬液流出口
３１    外周薬液流出口
３２    内周薬液流出口
３３    上面薬液流出口
３４    芳香剤容器
３５    芳香剤／消臭剤容器
３６    係止爪
３８    被係止開口
３９    ブラインド部
４０    芳香剤／消臭剤設置用開口
４２    フランジ部
４４    仕切板
４６    上部収容部
４８    下部収容部
【図１】
2007046393.tif 000003
【図２】
2007046393.tif 000004
【図３】
2007046393.tif 000005
【図４】
2007046393.tif 000006
【図５】
2007046393.tif 000007
【図６】
2007046393.tif 000008
【図７】
2007046393.tif 000009
【図８】
2007046393.tif 000010